(57)【要約】      （修正有）【課題】本考案は浄化を必要とする、水性塗料、絵の具、墨汁を含んだ汚水、グリストラップの汚水、池、飼育池の汚水等をオゾンと凝集沈殿剤を用い浄化し、また処理水は工具、器具、筆等の洗い水として再利用することを可能にする多目的廃水処理装置を提供する。【解決手段】汚水を凝集沈殿・オゾン処理タンク３へ入れ、凝集沈殿剤を投入し凝集沈殿させ、必要に応じて同タンク内でオゾン処理による分解、脱臭、殺菌も行え、ボックス下段の濾過タンク４の濾過フィルター１４で濾過し、浄化した処理水がしきり板１７を越え、処理水出口１３より排出される。また、活性炭等その他の水浄化剤を浄化エリア１６へ投入し、さらに浄化効果を高めることが可能である。処理水は、工具、器具、筆頭等の洗い水として再利用でき、再利用した汚水も再度装置に投入し浄化し排水できる。【選択図】図１
0003120980.tif 000002
【実用新案登録請求の範囲】
【請求項１】
キャスター付きの移動可能なボックスタイプで、ボックスの上面に汚水を投入するための開閉蓋、前面には濾過フィルターを交換するための開閉扉を備え、ボックス内上段に処理水の凝集沈殿処理、オゾン処理を行うタンク、ボックス内下段には処理水の濾過処理、沈殿処理及び、活性炭等その他の水浄化剤を投入して浄化を行うタンクを設置してある装置で、水性塗料や絵の具、墨汁を含む汚水、グリストラップの汚水、池、飼育用池等の汚水を凝集沈殿剤、オゾン発生装置、活性炭等その他の水浄化剤を使用して浄化し、処理水を再利用できる多目的廃水処理装置
【請求項２】
汚水を水中ポンプの水圧で循環させ、タンク内に湾曲の形状の板を設置してあり、それらにより効率のよい凝集沈殿反応が得られる装置で、絵の具や墨汁を使用する学校等で環境教育教材として安全に活用できる多目的廃水処理装置
【考案の詳細な説明】
【技術分野】
【０００１】
本案は、水性塗料、絵の具、墨汁等を含む汚水やグリストラップの汚水、池、飼育用池の汚水等をオゾンと凝集沈殿剤及び活性炭等その他の水浄化剤を用いて浄化し、また学校等での環境教育教材として活用できる廃水処理装置に関するものである。
【背景技術】
【０００２】
【特許文献１】特開２００２−６６５６９号公報
【考案の開示】
【考案が解決しようとする課題】
【０００３】
従来のこの種の装置は、手軽に移動ができるものがなく不便であり、水性塗料や絵の具、墨汁、グリストラップの汚水、池、飼育用池の汚水等様々な汚水の浄化を一台で処理でき、処理水を再利用できる装置がなかった。また絵の具や墨汁を使用する学校等で、環境教育教材として活用できる装置がなかった。
【０００４】
そこで本考案は、不要になった水性塗料、絵の具、墨汁等を含む汚水、グリストラップの汚水、池、飼育用池等の様々な汚水を手軽に安全に浄化することを可能にし、浄化した水は、現場などで使用した工具・器具・筆等の洗い水として再利用でき、不法投棄、垂れ流しなど環境悪化防止に貢献し、また学校等での環境教育教材として活用できる装置を提供することを目的としたものである。
【課題を解決するための手段】
【０００５】
装置全体を一つのボックスに収めたことにより、複数の装置の持ち運びが不要で、キャスターを備えたことにより、手軽に移動できるようにした。
【０００６】
水性塗料、絵の具、墨汁等を含む汚水を開閉蓋１を開け、凝集沈殿・オゾン処理タンク３へ入れ、凝集沈殿剤を投入し、水中ポンプ６を稼動させ凝集沈殿処理を行う。汚水を水中ポンプの汚水排出口７から放出することにより水流が発生し、湾曲の形状をした水流循環促進板５により汚水が効率よく循環し攪拌する。
【０００７】
グリストラップ、池等、分解、脱臭、殺菌を必要とする汚水の場合、オゾン発生装置・制御盤８のスイッチを入れることにより、オゾンエアブロア９よりオゾンを含んだ空気を汚水に放出しオゾンによる分解、脱臭、殺菌処理を行う。
【０００８】
凝集沈殿及びオゾン処理を行った汚水は汚水出口１０を通り、濾過タンク汚水入り口１２を経由して、濾過フィルター１４へ投入され濾過される。処理水投入量は流量調整バルブ１１で最良の水量に調整できる。
【０００９】
濾過された処理水は、沈殿濾過しきり板１７により一定の時間、固形物除去エリア１５に滞留し、きれいな処理水の上澄みだけが、沈殿濾過しきり板１７を超え浄化エリア１６へ入る。浄化エリア１６に活性炭等その他の水浄化剤を投入することで、更に処理効果を高めることができる。また濾過フィルター１４はボックス前面にある開閉扉２を開けて簡単に取り替えが可能である。
【００１０】
処理水は、処理水出口１３より装置の外へ排水するが、現場などで使用する工具、器具、筆等の洗い水として再利用でき、再利用した汚水は、再度装置に投入して浄化し排水できる。
【考案の効果】
【００１１】
本考案は、上述の構成によって、様々な汚水を一つの装置で浄化することを可能にし、従来の装置にくらべて多目的に対応でき、持ち運びがらくであり、処理水は洗い水として再利用し、汚水を垂れ流さない、投棄しない環境悪化防止に貢献することを目的とした考案である。
【考案を実施するための最良の形態】
【００１２】
装置全体を一つのボックスに収めることで、複数の装置の持ち運びが不要であり、ボックス底部に設置したキャスターにより手軽に移動することができる。
【００１３】
ボックス上面に設けた開閉蓋を開けて簡単に汚水を投入でき、ボックス前面の開閉扉を開いて手軽に濾過フィルターの取替えができる。
【００１４】
水中ポンプ６の稼動により発生する水圧を利用して、湾曲の形状をした水流循環促進板５により、処理水の水流の循環が高まり、攪拌機を使わず安全に処理水を攪拌できる。
【００１５】
濾過タンク４に沈殿濾過しきり板１７を設置したことにより処理水が一定の時間滞留し、沈殿効果が得られる。
【００１６】
分解、殺菌、脱臭を必要とする汚水等の場合、オゾンエアブロワ９よりオゾンを含む空気を放出してオゾンによる汚水の分解・殺菌・脱臭を行える。
【００１７】
飼育池等の場合、凝集沈殿剤投入及び、オゾン処理による飼育生物への影響が懸念される場合や、より処理水の浄化を高めるため、浄化エリア１６に活性炭等その他の水浄化剤を投入することができる。
【実施例】
【００１８】
以下、添付図面に従って一実施例を説明する。装置は持ち運びやすさを重視したキャスター付のボックスタイプで、手軽に移動して処理が行える。ボックス上面の開閉蓋１を開け汚水を凝集沈殿・オゾン処理タンク３へ入れる。水中ポンプ６を稼動させ、凝集沈殿剤を投入し、水中ポンプ６の稼動により発生する水圧を利用して攪拌する。
【００１９】
汚水の分解、脱臭、殺菌を必要とする場合は、オゾン発生装置・制御板８のスイッチを入れることにより、オゾンを含む空気がオゾンエアブロワ９より放出され分解・脱臭・殺菌を行う。
【００２０】
凝集沈殿及びオゾン処理した処理水は、汚水出口１０を通り、濾過タンク汚水入口１２を経由して濾過フィルター１４内に投入され濾過を行う。濾過された処理水は沈殿濾過しきり板１７により一定の時間、固形物除去エリア１５に滞留し沈殿効果が促進され、きれいな処理水の上澄みだけが浄化エリア１６へ入る。また、活性炭等その他の水浄化剤を浄化エリア１６に投入することにより、さらに処理水の浄化を高めることができる。
【００２１】
処理水は処理水出口１３より装置の外へ排出される。また処理水は、現場などで使用する工具、器具、筆等の洗い水として再利用でき、再利用した汚水は再度装置に投入して浄化し排水する。池、飼育池の場合は、処理水を返送し循環する。
【図面の簡単な説明】
【００２２】
【図１】廃水処理設備全体の立体図である。
【図２】濾過タンクの立体図である。
【符号の説明】
【００２３】
１  開閉蓋
２  開閉扉
３  凝集沈殿・オゾン処理タンク
４  濾過タンク
５  水流循環促進板
６  水中ポンプ
７  汚水排出口
８  オゾン発生装置・制御盤
９  オゾンエアブロワ
１０  汚水出口
１１  流量調整バルブ
１２  濾過タンク汚水入口
１３  処理水出口
１４  濾過フィルター
１５  固形物除去エリア
１６  浄化エリア
１７  沈殿濾過しきり板
【図１】
0003120980.tif 000003
【図２】
0003120980.tif 000004
【手続補正書】
【提出日】平成18年1月25日(2006.1.25)
【手続補正１】
【補正対象書類名】実用新案登録請求の範囲
【補正対象項目名】請求項２
【補正方法】変更
【補正の内容】
【請求項２】
汚水を水中ポンプの水圧で循環させ、タンク内に設置してある湾曲の形状をした水流循環促進板により水流を発生させ、効率のよい凝集沈澱反応が得られる装置で、攪拌機を必要としないので安全であり、学校等で絵の具や墨汁を含む汚水を浄化でき環境教育教材としても活用できることを特徴とする請求項１記載の多目的廃水処理装置